(57)【要約】      （修正有）【課題】作業対象物の種類や形状に応じて活線把持具を取り替える手間を無くし、スリーブへの電線の導体部の挿入量の検査を行い易い活線把持具を提供する。【解決手段】電線等の活線や電線の周辺部材を把持する把持部２００を先端に備えた絶縁性の主操作棒１１０と、先端の把持部２００を開閉操作するための絶縁性の開閉操作棒１２０と、を備えた活線把持具１００であって、先端側に、電線の導体部をスリーブ内に挿入した際に、導体部の挿入量を検査するための基準寸法を備えたゲージ部３００が設けられ、さらに、把持部２００には、平坦状把持面（２１１、２２１）と円弧状把持面（２１２、２２２）が設けられていることを特徴とする。【選択図】図１
0003219503.tif 000002
【実用新案登録請求の範囲】
【請求項１】
電線等の活線や電線の周辺部材を把持する把持部を先端に備えた絶縁性の主操作棒と、
先端の前記把持部を開閉操作するための絶縁性の開閉操作棒と、を備えた活線把持具であって、
先端側に、前記電線の導体部をスリーブ内に挿入した際に、前記導体部の挿入量を検査するための基準寸法を備えたゲージ部が設けられ、
さらに、前記把持部には、平坦状把持面と円弧状把持面が設けられていることを特徴とする活線把持具。
【請求項２】
前記ゲージ部は、前記電線の複数の種類に対応するために、複数の基準寸法を備えることを特徴とする請求項１に記載の活線把持具。
【請求項３】
前記ゲージ部は、前記活線把持具の先端に対する立ち上がりの角度を変えられるように構成されていることを特徴とする請求項１又は２に記載の活線把持具。
【請求項４】
前記円弧状把持面の先端は、前記平坦状把持面よりも前記把持部の内側へ向けて突出していることを特徴とする請求項１から３のいずれかに記載の活線把持具。
【考案の詳細な説明】
【技術分野】
【０００１】
本考案は、配電線工事に使用するための工具、特に、電線等の活線や、その他周辺部材を把持する活線把持具に関する。
【背景技術】
【０００２】
従来から、配電線工事中の感電事故を防止するために、作業者の手先の代わりに電線や周辺部材を把持部によって把持する活線把持具が用いられてきた。そして、作業対象物の種類や形状に応じて、最も把持するのに適した把持部を備える活線把持具が用いられてきた。例えば、電線等に取り付ける端末キャップを把持する際は、端末キャップの一部の平坦な部分を把持し易いように、把持部の一部が平坦面になっている活線把持具を利用していた。また、電線等を連結接続するために、電線の導体部をスリーブ内に挿入する際は、円筒状のスリーブを把持し易いように、把持部の一部が円弧状になっている活線把持具を利用していた。さらに、スリーブ内に電線の導体部を挿入した際に、導体部の挿入量が適正か否かを検査する場合は、挿入量を検査するための基準寸法を備えた小さなゲージを、活線把持具の先端で摘まんで検査していた。
【０００３】
しかしながら、高所での作業中に作業対象物の種類や形状に応じて、活線把持具を取り替えるのは、非常に面倒な作業であり、また、挿入量を検査するための基準寸法を備えた小さなゲージを活線把持具の先端で摘まんで検査するのも、非常に面倒な作業であった。
【考案の概要】
【考案が解決しようとする課題】
【０００４】
そこで、本考案は、上記問題に鑑み、作業対象物の種類や形状に応じて活線把持具を取り替える手間を無くし、スリーブへの電線の導体部の挿入量の検査を行い易い活線把持具を提供するものである。
【課題を解決するための手段】
【０００５】
上記課題を解決するために、本考案の活線把持具は、電線等の活線や電線の周辺部材を把持する把持部を先端に備えた絶縁性の主操作棒と、先端の前記把持部を開閉操作するための絶縁性の開閉操作棒と、を備えた活線把持具であって、先端側に、前記電線の導体部をスリーブ内に挿入した際に、前記導体部の挿入量を検査するための基準寸法を備えたゲージ部が設けられ、さらに、前記把持部には、平坦状把持面と円弧状把持面が設けられていることを特徴とする。
【０００６】
当該特徴によって、平坦面を備えた周辺部材を把持する場合は、把持部の平坦状把持面によって周辺部材を確実に把持でき、また、円形の周辺部材を把持する場合は、把持部の円弧状把持面によって周辺部材を確実に把持できる。そのため、作業対象物である周辺部材の種類や形状が変わっても、本考案の活線把持具によれば、活線把持具を取り替えることなく作業を行えることから、利便性が高いのである。さらに、ゲージ部の基準寸法をスリーブから飛び出た導体部へ宛がい、スリーブから飛び出た導体部の長さとゲージ部の基準寸法を比較することで、導体部がスリーブに奥まで確実に挿入されているかを検査することができるのである。そして、ゲージ部が活線把持具の先端に設けられているので、従来のように、小さなゲージを活線把持具の先端で摘まんで検査するという、面倒な作業を行わなくて済むのである。
【０００７】
さらに、上記課題を解決するために、本考案の活線把持具は、前記ゲージ部は、前記電線の複数の種類に対応するために、複数の基準寸法を備えることを特徴とする。
【０００８】
当該特徴によって、複数の電線の種類に対応するために、複数の基準寸法を備えているので、利便性が高いのである。
【０００９】
さらに、上記課題を解決するために、本考案の活線把持具は、前記ゲージ部は、前記活線把持具の先端に対する立ち上がりの角度を変えられるように構成されていることを特徴とする。
【００１０】
当該特徴によって、電線の導体部の挿入量を検査しやすい角度に、ゲージ部の姿勢を変えることができ、作業性が向上するのである。
【００１１】
さらに、上記課題を解決するために、本考案の活線把持具は、前記円弧状把持面の先端は、前記平坦状把持面よりも前記把持部の内側へ向けて突出していることを特徴とする。
【００１２】
当該特徴によって、円弧状把持面から円形の周辺部材が外れにくく、把持部は周辺部材をより確実に把持できるのである。
【考案の効果】
【００１３】
上記の本考案によれば、作業対象物の種類や形状に応じて活線把持具を取り替える手間を無くし、スリーブへの電線の導体部の挿入量の検査を行い易い。
【図面の簡単な説明】
【００１４】
【図１】本考案の活線把持具を示すもので、（ａ）は活線把持具の把持部を開いた状態の側面図、（ｂ）は活線把持具の把持部を閉じた状態の側面図である。
【図２】（ａ）は活線把持具の平面図、（ｂ）は活線把持具のゲージ部周辺を拡大した平面図である。
【図３】（ａ）及び（ｂ）は、電線に取り付けられる周辺部材を、本考案の活線把持具の把持部によって把持している拡大側面図である。
【図４】ゲージ部を立ち上げた状態の活線把持具を電線に宛がった様子を示す側面図である。
【符号の説明】
【００１５】
１００        活線把持具
１１０        主操作棒
１２０        開閉操作棒
２００        把持部
２１１        平坦状把持面
２２１        平坦状把持面
２１２        円弧状把持面
２２２        円弧状把持面
３００        ゲージ部
Ｗ０          電線
Ｗ１          導体部
Ｓ０          スリーブ
Ｌ１          基準寸法
【考案を実施するための形態】
【００１６】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１７】
図１は、本考案の活線把持具１００を示すもので、図１（ａ）は活線把持具１００の把持部２００を開いた状態の側面図、図１（ｂ）は活線把持具１００の把持部２００を閉じた状態の側面図、図２（ａ）は活線把持具１００の平面図、図２（ｂ）は、活線把持具１００のゲージ部３００周辺を拡大した平面図である。
【００１８】
この活線把持具１００の基本構成は、電線等の活線を把持する把持部２００を備えた絶縁性の主操作棒１１０と、把持部２００を開閉操作するための絶縁性の開閉操作棒１２０と、開閉操作棒１２０の一端に取り付けられた操作ハンドル１３０とから構成される。
【００１９】
主操作棒１１０は、その先端に把持部２００が固定されており、筒状の長尺の棒状形状をしている。筒状とすることで活線把持具１００の軽量化に寄与している。また、主操作棒１１０は、感電防止のため全体が繊維強化プラスティック等の絶縁性の材質で構成されている。さらに、この主操作棒１１０の後端側には、作業者が握るグリップ１１１が設けられており、合成ゴム等の滑りにくい材質でできている。また、雨天時等に作業する場合に、先端の把持部２００から雨水等がグリップ１１１側に滴り、作業者が感電するのを防止するために水切り１１２が設けられている。
【００２０】
次に、把持部２００は、一対の把持片２１０及び把持片２２０から構成されており、この一対の把持片２１０及び把持片２２０が開閉することで、電線等の活線や周辺部材を挟むことができる。より詳しく説明すると、把持片２２０は、主操作棒１１０の先端の基部１１４に固定されており、把持片２１０は把持片２２０の根元側に軸部２３０によって回動可能に軸支されている。そして、把持片２１０の末端側は、軸部２４０によって開閉操作棒１２０に回動可能に軸支されているので、開閉操作棒１２０が前後に移動することで、把持片２１０が軸部２３０周りに回動して、把持部２００が開閉することになるのである。
【００２１】
また、把持片２１０の先端には平坦面を備えた平坦状把持面２１１が設けられ、把持片２２０の先端にも平坦面を備えた平坦状把持面２２１が設けられており、図１（ｂ）に示すように、把持部２００が閉じられた際に、この平坦状把持面２１１と平坦状把持面２２１は互いに面接触する部分となっている。また、平坦状把持面２１１と平坦状把持面２２１の表面には、滑り止め用の微小な凹凸が設けられており、電線等の活線や周辺部材を滑らないように把持することが出来る。
【００２２】
さらに、把持片２１０の根元側には円弧状の円弧状把持面２１２が設けられ、把持片２２０の根元側にも円弧状の円弧状把持面２２２が設けられている。そして、把持部２００が閉じられた際に、この円弧状把持面２１２と円弧状把持面２２２は互いに向き合うように近接する部分となっている。また、円弧状把持面２１２の先端２１３は、平坦状把持面２１１よりも把持部２００の内側へ向けて突出している。なお、円弧状把持面２１２と円弧状把持面２２２の表面には、滑り止め用の微小な凹凸が設けられており、電線等の活線や周辺部材を滑らないように把持することが出来る。
【００２３】
また、開閉操作棒１２０は、筒状の長尺の棒状形状であり、感電防止のため全体が繊維強化プラスティック等の絶縁性の材質で構成されている。開閉操作棒１２０の先端は、把持部２００の把持片２１０の末端に、軸部２４０によって回動可能に連結されている。一方、開閉操作棒１２０の末端は、操作ハンドル１３０の一端と軸部１３１により回動可能に連結されており、後述する操作ハンドル１３０を操作することで、開閉操作棒１２０を前後に引っ張ったり押したりして、把持部２００を開閉させることができるようになっている。また、雨水等が、先端から開閉操作棒１２０をつたってしまい、作業者が感電するのを防止するために、水切り１２２が設けられている。
【００２４】
また、操作ハンドル１３０は先端が略Ｌ字状になっており、根元部分が軸部１３２によって、主操作棒１１０の連結部１１３の一部に回動可能に軸支されている。また、先端部分が軸部１３１によって、開閉操作棒１２０に回動可能に軸支されている。そのため、作業者が、操作ハンドル１３０をグリップ１１１へ向けて手で握るようにして移動させることで（図１（ｂ）の矢印参照）、操作ハンドル１３０に連結された開閉操作棒１２０は後側に引っ張られ、開閉操作棒１２０に連結された把持片２１０は、把持片２２０へ向けて閉じられるのである。
【００２５】
また、図２に示すように、主操作棒１１０の先端には、薄板状のゲージ部３００が設けられている。このゲージ部３００は、後述するように、電線の導体部をスリーブ内に挿入した際に、導体部の挿入量を検査するためのもので、複数の基準寸法を備える。具体的には、ゲージ部３００の第一ゲージ部３１０は、その横幅が基準寸法Ｌ１となっており、電線の断面積が５ｍｍ２（ミリ平方メートル）の場合に、当該電線の導体部のスリーブへの適正な挿入量を検査する基準となるものである。同様に、ゲージ部３００の第二ゲージ部３２０は、その横幅が基準寸法Ｌ２となっており、電線の断面積が６０ｍｍ２（ミリ平方メートル）の場合に、当該電線の導体部のスリーブへの適正な挿入量を検査する基準となるものである。さらに、ゲージ部３００の第三ゲージ部３３０は、その横幅が基準寸法Ｌ３となっており、電線の断面積が１２５ｍｍ２（ミリ平方メートル）の場合に、当該電線の導体部のスリーブへの適正な挿入量を検査する基準となるものである。
【００２６】
また、ゲージ部３００は、主操作棒１１０の先端の基部１１４に、軸部３０１によって回動可能に取り付けられている。そのため、ゲージ部３００は、軸部３０１を中心に、基部１１４から立ち上がるように回動させ（図１（ａ）の矢印参照）、活線把持具１００の先端の基部１１４に対する立ち上がりの角度を変更できるようになっている。
【００２７】
では、次に図３を参照して、本考案の活線把持具１００によって、電線や周辺部材を把持部２００によって把持する様子について説明する。なお、図３（ａ）及び（ｂ）は電線に取り付けられる周辺部材を把持部２００によって把持している拡大側面図である。
【００２８】
まず、図３（ａ）では、電線等に取り付けられる周辺部材として、電線に取り付ける端末キャップＰ０を把持する様子を示している。この端末キャップＰ０は、電線を挿入する円筒状のキャップ部Ｐ１と平坦面の持手部Ｐ２を備えている。作業員は、電線（不図示）に端末キャップＰ０を装着する際に、この端末キャップＰ０を活線把持具１００によって把持して作業している。より具体的には、活線把持具１００の把持部２００の一対の把持片２１０と把持片２２０によって持手部Ｐ２の両側を挟み込むように把持する。その際、持手部Ｐ２の平坦面を、平坦状把持面２２１及び平坦状把持面２１１によって挟み込むように把持しているので、端末キャップＰ０を確実に把持することが出来るのである。
【００２９】
次に、図３（ｂ）では、電線等に取り付けられる周辺部材として、電線を連結固定するためのスリーブＳ０を把持する様子を示している。このスリーブＳ０は、内部に電線を挿入できるように円筒状となっている。作業員は、電線（不図示）をスリーブＳ０に挿入する際に、このスリーブＳ０を活線把持具１００によって把持して作業している。より具体的には、活線把持具１００の把持部２００の一対の把持片２１０と把持片２２０によってスリーブＳ０の両側を挟み込むように把持する。その際、円弧状把持面２１２及び円弧状把持面２２２が、スリーブＳ０の円形の外側面に沿うように挟み込んで把持しているので、スリーブＳ０を確実に把持することが出来るのである。
【００３０】
このように、本考案の活線把持具１００によれば、端末キャップＰ０のような平坦面を備えた周辺部材を把持する場合は、把持部２００の先端側に設けられた平坦状把持面２１１及び平坦状把持面２２１によって周辺部材を確実に把持でき、また、スリーブＳ０のような円形の周辺部材を把持する場合は、把持部２００の根元側に設けられた円弧状把持面２１２及び円弧状把持面２２２によって周辺部材を確実に把持できる。そのため、作業対象物である周辺部材の種類や形状が変わっても、本考案の活線把持具１００によれば、活線把持具１００を取り替えることなく作業を行えることから、利便性が高いのである。
【００３１】
また、図３（ａ）に示すように、円弧状把持面２１２の先端２１３が、平坦状把持面２１１よりも把持部２００の内側へ向けて突出しているので、端末キャップＰ０のような平坦面を備えた周辺部材を把持する場合、周辺部材の平坦部分の先端は、円弧状把持面２１２の先端２１３に当接して、その把持された姿勢が変わらないように支持されているので、把持部２００は周辺部材をより安定した状態で把持できるのである。
【００３２】
また、図３（ｂ）に示すように、円弧状把持面２１２の先端２１３が、平坦状把持面２１１よりも把持部２００の内側へ向けて突出していることで、円弧状把持面２１２からスリーブＳ０が外れにくく、把持部２００は周辺部材をより確実に把持できるのである。なお、図３に示す把持部２００では、先端側に平坦状把持面を設け、根元側に円弧状把持面を設けているが、これに限定されず、先端側に円弧状把持面を設け、根元側に平坦状把持面を設けても良い。
【００３３】
では次に、図４を参照して、本考案の活線把持具１００によって、スリーブＳ０に対する電線Ｗ０の導体部Ｗ１の挿入量の検査をする様子について説明する。なお、図４は、ゲージ部３００を立ち上げた状態の活線把持具１００を電線Ｗ０に宛がった様子を示す側面図である。
【００３４】
まず、電線Ｗ０同士を連結する際は、電線Ｗ０の先端側の被覆部分を剥いで導体部Ｗ１を露出させ、その導体部Ｗ１をスリーブＳ０内部に挿入する。このスリーブＳ０は、導体部Ｗ１が挿入出来るように筒状の挿入空間Ｓ１を両側に備えており、スリーブＳ０の長さ及び挿入空間Ｓ１の深さは規格によって決められている（ここでは、挿入空間Ｓ１の深さは、Ｈ１と規格で決められている。）。さらに、規格によって、電線Ｗ０の断面積に応じて導体部Ｗ１の適切な長さが決められている。例えば、電線の断面積が５ｍｍ２（ミリ平方メートル）の場合は、被覆部分を剥いで露出させる導体部Ｗ１の長さは、長さＹ１と規格で決まっている。
【００３５】
そして、電線Ｗ０の導体部Ｗ１が、スリーブＳ０の挿入空間Ｓ１に完全に奥まで挿入されていれば、スリーブＳ０から飛び出ている導体部Ｗ１の長さは、長さＹ１から深さＨ１を引いた長さＦ１（すなわち、長さＦ１＝長さＹ１―深さＨ１）となるはずである。
【００３６】
ここで、ゲージ部３００の第一ゲージ部３１０の基準寸法Ｌ１は、電線Ｗ０の断面積が５ｍｍ２の場合に、当該電線Ｗ０の導体部Ｗ１のスリーブＳ０への適正な挿入量を検査する基準となるもので、上述した長さＦ１と同じ長さとなっている。そのため、図４に示すように、スリーブＳ０から飛び出た導体部Ｗ１へ、ゲージ部３００の第一ゲージ部３１０を宛がい、スリーブＳ０から飛び出た導体部Ｗ１の長さが、第一ゲージ部３１０の基準寸法Ｌ１と等しければ、電線Ｗ０の導体部Ｗ１が、スリーブＳ０の挿入空間Ｓ１に奥まで確実に挿入されていると確認することができる。一方、スリーブＳ０から飛び出た導体部Ｗ１の長さが、第一ゲージ部３１０の基準寸法Ｌ１より大きければ、電線Ｗ０の導体部Ｗ１が、スリーブＳ０の挿入空間Ｓ１に奥まで完全に挿入されていないと認識することができるのである。
【００３７】
同様に、電線Ｗ０の断面積が６０ｍｍ２や１２５ｍｍ２の場合も、被覆部分を剥いで露出させる導体部Ｗ１の長さが、規格により決められている。そして、電線Ｗ０の断面積が６０ｍｍ２の場合に、当該電線Ｗ０の導体部Ｗ１のスリーブＳ０への適正な挿入量を検査する基準となる基準寸法Ｌ２を備えた第二ゲージ部３２０や、電線Ｗ０の断面積が１２５ｍｍ２の場合に、当該電線Ｗ０の導体部Ｗ１のスリーブＳ０への適正な挿入量を検査する基準となる基準寸法Ｌ３を備えた第三ゲージ部３３０を、スリーブＳ０から飛び出た導体部Ｗ１へ宛がい、スリーブＳ０から飛び出た導体部Ｗ１の長さと、第二ゲージ部３２０又は第三ゲージ部３３０の基準寸法とを比較することで、導体部Ｗ１がスリーブＳ０の挿入空間Ｓ１に奥まで確実に挿入されているかを検査することができる。
【００３８】
なお、電線Ｗ０の導体部Ｗ１が、スリーブＳ０の挿入空間Ｓ１に完全に奥まで挿入されていないと、電線Ｗ０がスリーブＳ０から外れる危険性がある。そして、電線Ｗ０の導体部Ｗ１がスリーブＳ０の挿入空間Ｓ１に奥まで挿入されていることが確認できたら、スリーブＳ０を外側から圧縮して縮径させて、導体部Ｗ１が挿入空間Ｓ１から抜けないように強固に連結する。
【００３９】
このように、本考案の活線把持具１００によれば、電線Ｗ０の導体部Ｗ１をスリーブＳ０に挿入した際に、その導体部Ｗ１の挿入量を検査するための基準寸法を備えたゲージ部３００を備えるので、当該ゲージ部３００の基準寸法をスリーブＳ０から飛び出た導体部Ｗ１へ宛がい、スリーブＳ０から飛び出た導体部Ｗ１の長さとゲージ部３００の基準寸法を比較することで、導体部Ｗ１がスリーブＳ０の挿入空間Ｓ１に奥まで確実に挿入されているかを検査することができるのである。さらに、ゲージ部３００が活線把持具１００の先端に設けられているので、従来のように、小さなゲージを活線把持具の先端で摘まんで検査するという、面倒な作業を行わなくて済むのである。
【００４０】
また、ゲージ部３００は、複数の電線の種類に対応するために、複数の基準寸法（Ｌ１、Ｌ２、Ｌ３）を備えているので、利便性が高いのである。さらに、ゲージ部３００は、軸部３０１を中心に、基部１１４から立ち上がるように回動させ、活線把持具１００の先端の基部１１４に対する立ち上がりの角度を変更できるようになっている。そのため、導体部Ｗ１の挿入量を検査しやすい角度に、ゲージ部３００の姿勢を変えることができ、作業性が向上するのである。また、ゲージ部３００を使用しない時は、図１に示すように、ゲージ部３００を基部１１４に重なるように折り畳んでおけば、作業の邪魔にならないのである。
【００４１】
なお、図４では、ゲージ部３００は、３つの第一ゲージ部３１０、第二ゲージ部３２０、及び第三ゲージ部３３０を備えているが、これに限定されず、第一ゲージ部３１０を一つのみ、又は、２つ以上の任意の数の基準寸法を有するゲージ部を備えても良い。また、電線Ｗ０の断面積の５ｍｍ２、６０ｍｍ２、１２５ｍｍ２は、一例を示すものであって、これに限定されない。また、図３では、電線の周辺部材として、端末キャップＰ０やスリーブＳ０を把持しているが、これに限定されず、本考案の活線把持具１００は、平坦部分と円形部分を備えた形状の周辺部材であれば、確実に把持することが出来る。
【００４２】
なお、本考案の活線把持具は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003219503.tif 000003
【図２】
0003219503.tif 000004
【図３】
0003219503.tif 000005
【図４】
0003219503.tif 000006